(57)【特許請求の範囲】
【請求項１】
被洗濯物を導入するための開口部を有し、通水性のよい部材で形成された洗濯用ネットにおいて、前記洗濯用ネットは、円筒状に形成されるとともに、底部に形成された部屋に多数の球状弾性体を流動可能に収容したこと、を特徴とする洗濯用ネット。
【請求項２】
前記球状弾性体は、樹脂であることを特徴とする請求項１に記載の洗濯用ネット。
【請求項３】
前記球状弾性体は、ゴムであることを特徴とする請求項１に記載の洗濯用ネット。
【発明の詳細な説明】
【０００１】
【発明の属する技術分野】
本発明は、寝装品の洗濯時に変形を防止する洗濯用ネットに関するものである。
【０００２】
【従来の技術】
ベッドパッドを始めとする寝装品には、詰め物の素材としてポリエステル繊維などの合成繊維や、ウール、綿などの天然繊維が使用される。中でもウールなどの天然繊維の場合、家庭ではベッドパッド等の大物を洗濯するのが困難であったため、従来、一般的には専門業者によるクリーニングが行なわれていた。しかし最近では、家庭で洗濯が容易であることを売りとする製品が販売されている。
【０００３】
【発明が解決しようとする課題】
家庭でウール等の天然繊維の寝装品を洗濯する場合、特に、全自動の家庭用洗濯機を用いると、脱水時に洗濯物が洗濯機槽内で回転する際、寝装品が洗濯機の底面に配置されたパルセータと呼ばれる洗濯翼に接触して変形したり、接触部分が擦られたりして、寝装品に詰められたウール綿の偏りや変形等の不具合が発生する。
【０００４】
そこで本発明は前記した不具合が惹起されないように、寝装品等の大物の洗濯が簡便に家庭でも行なえる洗濯用ネットを提供することをその技術的課題とする。
【０００５】
前記した技術的課題を解決するために講じた請求項１の発明は、被洗濯物を導入するための開口部を有し、通水性のよい部材で形成された洗濯用ネットにおいて、前記洗濯用ネットは、円筒状に形成されるとともに、底部に形成された部屋に多数の球状弾性体を流動可能に収容する。
【０００７】
そして、請求項２及び請求項に示されるように、夫々、前記球状弾性体は、樹脂及びゴムであることが望ましい。
【００１１】
【発明の実施の形態】
以下、本発明の洗濯用ネットの実施の形態を添付図面にもとづいて説明する。図１は本発明の洗濯用ネットに、寝装具を代表してベッドパッドを装着した状態の好適例を示す透視斜視図である。洗濯用ネット１本体は、円筒の袋状をなすネット２と、洗濯用ネット１の上部には被洗濯物を出し入れするために、ジッパーが縫製された開口部が形成されている。洗濯用ネット１の底部には、洗濯時に洗濯機の槽底部に設置されたパルセータ（図示せず）に洗濯用ネット１が接触しないように、足５が取付けられる。そして、洗濯用ネット１の底部の直ぐ上には、洗濯時に被洗濯物であるベッドパッド等のウールや綿の詰め物が直接洗濯機のパルセータに接触しないように、クッションとしての仕切りパッド４が敷かれている。仕切りパッド４は、また別にベッドパッド等の柔らかい被洗濯物が洗濯用ネット内で、偏らないような役目を果たす。
【００１２】
図２は仕切りパッド４を示す概略図である。この仕切りパッド４は、詰め物７とその詰め物７を包むカバー部から構成されている。仕切りパッド４に使用する部材は、洗濯時の通水性や、脱水効果が高く、耐久性が要求される。そのため、詰め物７はポリエステル、アクリル、アクリレート、ポリプロピレン、ポリエチレン、ポリ塩化ビニル、ポリクラ-ル、ポリノジック、綿等の繊維又はウレタン等のクッション材で構成される。またカバー部の表面は、ポリエステル、ナイロン、ポリウレタン、アクリル、ポリクラ-ル、および綿等の素材でできており、表面は、詰め物７が動かないようにキルティング加工されている。仕切りパッド４は、厚さが１０〜６０mmになるように、必要ならば複数枚重ねて、外周をテープ３で包み、洗濯用ネット１本体に縫製されている。この仕切りパッド４は、洗濯用ネット１の底面に敷き加わることで、上記したように、洗濯時に、もし洗濯ネット１が洗濯機のパルセータと接触しても、被洗濯物が傷ついたり、内容物が偏るのを防ぐことができる。仕切りパッド４は、上記説明では洗濯用ネットに縫製されている。しかし洗濯用ネットの使用法に応じては、仕切りパッド４が洗濯用ネット１本体から外せる構成としても良い。その場合には、洗濯用ネット１と仕切りパッド４とを、ファスナー、面ファスナー、あるいはジッパー等を用いて着脱できる構成とすればよい。
【００１３】
図３は、洗濯用ネット１の底部の構成を示す正面および側面の概略図である。脱水時に洗濯機槽内のドラムが回転すると、一緒に洗濯用ネットも回転する。この時、従来品であると、回転をしていないパルセータ（図示せず）と洗濯用ネット１が接触し、洗濯用ネット１に入ったベッドパッド等の被洗濯物の内容物がパルセータに叩かれるため、内容物の繊維を傷つける。そのため、本例においては、洗濯用ネット１が洗濯機のパルセータと接触しないように、略Ｖ字状に形成された線状の３本の足５で、洗濯用ネット１の仕切りパッド４（図１）の上部を支える。この足５は、洗濯用ネット１本体が洗濯機のパルセータと接触しないためのものであり、以上の目的を達成できれば、他の手段で構成されても構わない。洗濯用ネット１が洗濯時に安定して洗濯機槽内に保持されるように、３本以上の足を設けても良い。その場合、洗濯時に槽内の水流を妨げないように工夫されなければならない。例えば、図４に示すように足５の代わりに洗濯ネット１の下部に別部屋を設け、その中に流動できる球状弾性体６、例えば多数の球状の樹脂やゴム等からなるものを入れておいても良い。図５に示すように、上記別部屋は球状弾性体６が脱水時に外周に寄せられて壁となり、側面から見た場合に洗濯機のパルセータ８に洗濯用ネット１が接触しないような足５に代わる壁となる。また別に図６に示すように、竹の節部を横に切ったような円筒形状の足９を洗濯用ネット１の下部に形成してもよい。上記円筒形状の足９はこの形状に限定されるものではなく、洗濯機槽内の水流が妨げられないように構造が工夫されるものとする。
【００１４】
【発明の効果】
以上説明したように本発明においては、洗濯用ネット本体の下部に仕切りパッド４を縫製するとともに洗濯ネットが洗濯機のパルセータと接触しないような足を構成することで、家庭でもベッドパッド等の大物の寝装品洗濯が可能となる。その結果、いちいち専門業者にクリーニングを依頼しなくても簡単に家庭で、ベッドパッド等の洗濯ができ多大な効果を奏する。
【図面の簡単な説明】
【図１】本発明実施の形態における、洗濯用ネットの透視斜視図である。
【図２】本発明実施の形態における、仕切りパッドを示す概略図である。
【図３】洗濯用ネットの底部の構成を示す正面および側面の概略図である。
【図４】洗濯用ネットの底部の構成を示す正面および側面の概略図である。
【図５】図４の洗濯用ネットを用いた脱水時における洗濯用ネットの底部の側面の断面図である。
【図６】図３の変形例の洗濯用ネットを下底から見た透視斜視図である。
【符号の説明】
１ ：洗濯用ネット
２ ：ネット
３ ：テープ
４ ：仕切りパッド
５ ：足
６ ：球状弾性体
７ ：詰め物
８ ：パルセータ
【図１】
0003982234.tif 000002
【図２】
0003982234.tif 000003
【図３】
0003982234.tif 000004
【図４】
0003982234.tif 000005
【図５】
0003982234.tif 000006
【図６】
0003982234.tif 000007